(57)【要約】【課題】  警告対象画像をより明確にして、見落としが生じるのを確実に防止する。【解決手段】  ページレイアウトの印刷出力４２Ａ、４２Ｂでは、警告対象画像となるオブジェクト４４、５０、５２、文字列４６及び細線４８に対して、警告内容を明示した吹出し４４Ａ〜５２Ｂが警告画像として形成され、かつ、合成されて印刷されている。これにより、警告対象画像が明確となり、かつ、見落としが生じることもない。さらに、警告内容が明示されているので、警告内容に沿った的確な画像修正が可能となる。【選択図】        図５
2006262384.tif 000002
【特許請求の範囲】
【請求項１】
画像処理端末から入力される描画命令ないし画像データに基づいて画像処理を行う画像処理方法であって、
前記描画命令ないし前記画像データから警告対象に設定されている警告対象画像の抽出処理を行い、
前記警告対象画像が抽出されたときに、
抽出された前記警告対象画像に対する警告画像を、警告対象画像と別に生成することを特徴とする画像処理方法。
【請求項２】
前記警告画像を、前記描画命令又は前記画像データに基づいた画像上で、前記警告対象画像を外した領域に合成することを特徴とする請求項１に記載の画像処理方法。
【請求項３】
前記警告画像を、前記描画命令ないし前記画像データに基づいて印刷処理を行ったときの余白領域となるように合成することを特徴とする請求項１又は請求項２に記載の画像処理方法。
【請求項４】
前記警告画像を、前記描画命令又は前記画像データと別に出力する画像データとすることを特徴とする請求項１に記載の画像処理方法。
【請求項５】
前記警告画像が前記警告対象画像を含むことを特徴とする請求項４に記載の画像処理方法。
【請求項６】
画像処理端末から入力される描画命令ないし画像データに基づいて画像処理を行う画像処理装置であって、
前記描画命令ないし前記画像データから警告対象に設定されている警告対象画像を抽出する抽出手段と、
前記抽出手段によって前記警告対象画像を抽出したときに、警告対象画像を特定する警告画像を生成する警告画像生成手段と、
を含むことを特徴とする画像処理装置。
【請求項７】
前記警告画像生成手段によって生成した前記警告画像を、前記描画命令又は前記画像データに基づいた画像上で、前記警告対象画像を外した領域に合成する合成手段を含むことを特徴とする請求項６に記載の画像処理装置。
【請求項８】
前記画像合成手段が、前記警告画像を、前記描画命令ないし前記画像データに基づいて印刷処理を行ったときの余白領域に合成することを特徴とする請求項７に記載の画像処理装置。
【請求項９】
前記記憶手段に記憶された前記警告画像を、前記描画命令又は前記画像データと別に出力する出力手段を含むことを特徴とする請求項６に記載の画像処理装置。
【請求項１０】
前記警告画像が前記警告対象画像を含むことを特徴とする請求項９に記載の画像処理装置。
【発明の詳細な説明】
【技術分野】
【０００１】
本発明は、画像処理端末から入力される画像データ又は描画命令に基づいてＧ像処理を行う画像処理方法及び画像処理装置に関する。
【背景技術】
【０００２】
印刷処理の分野におけるデジタル化として、ＤＴＰ（Desktop Publishing）化が浸透している。ＤＴＰでは、ページレイアウトの画像を、Ｙ、Ｍ、Ｃ及びＫの各色に分解する分版処理を施し、それぞれの画像データに基づいて印刷版を露光することにより、印刷版に網点画像を形成した刷版を作成する。
【０００３】
一方、高精度のカラープリンタ等の出力装置が普及しており、高精度の印刷出力が要求される商業印刷においても、パーソナルコンピュータやワークステーションなどの画像処理端末上で作成されたページレイアウトなどの校正を行うときに利用されるようになっている。
【０００４】
ところで、商業印刷用のページレイアウトなどに対して、色やオブジェクトのレイアウトの確認のための印刷出力を行うときに、商業印刷には不向きや細線や、画像（画像データ）、オーバープリントの指定などのチェックも必要となる。
【０００５】
ここから、商業印刷時にかすれや消失の生じる可能性のある細線が、ページレイアウト上にあるときには、カンプ出力を行うときに、細線に対して画像変換を行って明確となるようにした提案がなされている（例えば、特許文献１参照。）。
【０００６】
また、オーバープリントが指定されていると、画像処理端末の画面表示や、プリンタから出力される画像は、上の画像が下の画像をノックアウトして印刷されるのが一般的なので、刷版を用いた印刷物とは、仕上がりが異なることがある。ここから、オーバープリントの指定を検出すると、該当する画像が明確となるように色変換などを行う提案がなされている（例えば、特許文献２参照。）。
【０００７】
さらに、商業印刷時には、Ｃ、Ｍ、Ｙ、Ｋの各色に分版されるが、高解像度のデータに対して圧縮処理されていることがあり、このような画像データを分版するとＫ色成分のみとなってしまう。
【０００８】
ここから、カンプ出力を行うときに圧縮画像を検出すると、該当画像を警告色で表示したり、削除して、圧縮画像が存在していることを明確にするようにした提案がなされている（例えば、特許文献３参照。）。
【特許文献１】特開２００３−８８７０号公報
【特許文献２】特開２００３−５３４３号公報
【特許文献３】特開２００４−１５１７６７号公報
【発明の開示】
【発明が解決しようとする課題】
【０００９】
しかしながら、警告対象のオブジェクトなどに対して警告色に変換したり、線を太くしたり輪郭線を設けるようにしても、例えば、警告色と近似する色が多用されていたり、また、対象オブジェクト自体が小さいために、警告されていることが目立たなくなってしまうことがあり、このために、警告が見落とされてしまうという問題が生じる可能性がある。
【００１０】
本発明は上記事実に鑑みてなされたものであり、警告対象画像をより明確にして、見落としが生じるのを確実に防止できる画像処理方法及び画像処理装置を提案することを目的とする。
【課題を解決するための手段】
【００１１】
上記目的を達成するために本発明は、画像処理端末から入力される描画命令ないし画像データに基づいて画像処理を行う画像処理方法であって、前記描画命令ないし前記画像データから警告対象に設定されている警告対象画像の抽出処理を行い、前記警告対象画像が抽出されたときに、抽出された前記警告対象画像に対する警告画像を、警告対象画像と別に生成することを特徴とする。
【００１２】
この発明によれば、警告対象に設定されている画像を抽出すると、警告対象画像と別に警告画像を形成する。
【００１３】
このような警告画像を新たに生成することにより、警告対象画像の存在を明確に示すことができる。
【００１４】
このような本発明においては、前記警告画像を、前記描画命令又は前記画像データに基づいた画像上で、前記警告対象画像を外した領域に合成するものであってもよく、前記警告画像を、前記描画命令ないし前記画像データに基づいて印刷処理を行ったときの余白領域となるように合成するものであっても良い。
【００１５】
また、本発明では、前記警告画像を、前記描画命令又は前記画像データと別に出力する画像データとしても良い。
【００１６】
さらに、本発明は、前記警告画像が前記警告対象画像を含むものであっても良い。すなわち、警告対象のみを印刷出力可能となるようにしても良い。
【００１７】
このような本発明を適用する画像処理装置は、画像処理端末から入力される描画命令ないし画像データに基づいて画像処理を行う画像処理装置であって、前記描画命令ないし前記画像データから警告対象に設定されている警告対象画像を抽出する抽出手段と、前記抽出手段によって前記警告対象画像を抽出したときに、警告対象画像を特定する警告画像を生成する警告画像生成手段と、を含むものであれば良い。
【００１８】
また、本発明は、前記警告画像生成手段によって生成した前記警告画像を、前記描画命令又は前記画像データに基づいた画像上で、前記警告対象画像を外した領域に合成する合成手段を含むことができ、前記画像合成手段が、前記警告画像を、前記描画命令ないし前記画像データに基づいて印刷処理を行ったときの余白領域に合成するものであっても良い。
【００１９】
また、本発明は、前記記憶手段に記憶された前記警告画像を、前記描画命令又は前記画像データと別に出力する出力手段を含むものであっても良く、このとき前記警告画像が前記警告対象画像を含むことができる。
【発明の効果】
【００２０】
以上説明したように本発明によれば、警告対象画像と別に警告画像を生成するようにしており、これにより、警告対象画像のみならず、警告内容まで、的確に判定可能となるという優れた効果が得られる。
【発明を実施するための最良の形態】
【００２１】
以下、図面を参照しながら本発明の実施の形態を説明する。図１には、本実施の形態に適用した印刷システム１０の概略構成を示している。この印刷システム１０は、例えば、一般的構成のパーソナルコンピュータ（ＰＣ）に、所定の機能を備えたＰＣＩボードを追加するなどして構成した画像処理装置１２を備えている。また、この画像処理装置１２には、印刷出力装置としてプリンタ１４が接続され、画像処理装置１２で処理した画像の印刷出力が可能となっている。
【００２２】
さらに、画像処理装置１２には、パーソナルコンピュータ、ワークステーション等がクライアントＰＣ１６として接続されている。このクライアントＰＣ１６は、各種アプリケーションを用いて画像の作成、加工、編集等の画像処理を行うＤＴＰに使用可能となっている。画像処理装置１２は、こられのクライアントＰＣ１６から入力される描画命令に基づいて印刷処理を行う。
【００２３】
すなわち、印刷システム１０では、画像処理装置１２がプリントサーバの機能を併せ持っている（以下、画像処理装置１２を「プリントサーバ１２」とする）。なお、印刷システム１０としては、プリントサーバ１２に複数台のプリンタ１４が接続されたものであっても良く、また、プリントサーバ１２に複数のクライアントＰＣ１６を、ＬＡＮ、ＷＡＮ等のネットワークを介して接続しても良い。
【００２４】
本実施の形態に用いるプリントサーバ１２は、ＲＯＭ、ＲＡＭ、ＨＤ等の外部メモリが設けられ、ＲＯＭに記憶しているオペレーティングプログラムによって動作し、ＲＯＭないし外部メモリに記憶されたプログラムに基づいて、システム図形、イメージ、文字ないし表等に対しての処理を実行する一般的構成となっている。
【００２５】
このようなプリントサーバ１２には、キーボード、マウス（何れも図示省略）等の入力デバイス、ＣＲＴディスプレイ等の表示デバイスを備えている。また、プリントサーバ１２においても、表示デバイスの表示画像に対する印刷処理が可能となっている（ＷＹＳＩＷＹＧ機能）。
【００２６】
プリントサーバ１２には、イーサネット（登録商標）（Ethernet（登録商標））等の双方向インターフェイス１８及びプリントコントローラ２０が設けられ、プリントコントローラ２０が双方向インターフェイス（双方向Ｉ／Ｆ）１８を介してプリンタ１４に接続している。また、プリントサーバ１２には、画像処理部２４及び印刷機能設定部２６が形成されている。
【００２７】
また、プリントサーバ１２には、ネットワークインターフェイス（ネットワークＩ／Ｆ）２２が設けられ、このネットワークＩ／Ｆ２２を介してクライアントＰＣ１６から画像ファイルと共に描画命令が印刷ジョブとして入力される。プリントサーバ１２は、この描画命令に基づいた印刷処理を行う一般的構成となっている。
【００２８】
クライアントＰＣ１６は、任意のＤＴＰアプリケーションを用いて、画像の作成、加工、編集等の画像処理を行い、ページレイアウト等の画像データを作成する（以下「ページレイアウト」として説明する）。
【００２９】
このクライアントＰＣ１６によって作成されたページレイアウトが、ＣＭＹＫのプロセスカラーなどに色分解（分版）されて、カラー電子製版システム（ＣＥＰＳ）で印刷版の露光に用いるフィルムの作成や、ダイレクト製版（ＣＴＰ）での印刷版の露光に用いられ、このページレイアウトに基づいて作成された刷版によって印刷処理がなされる。
【００３０】
ＤＴＰでは、ページレイアウトに基づいた刷版の作成に先だって、カラープルーフ等と呼ばれる校正用の印刷物（プルーフ）を作成する校正刷りが行われ、この校正刷りから、ページレイアウトの校正を行う。本実施の形態に適用した印刷システム１０では、このプルーフの作成が可能となっている。
【００３１】
この校正刷りを行うときには、クライアントＰＣ１６から描画命令と共にページレイアウトを含む画像ファイルが、印刷ジョブとしてプリントサーバ１２へ出力される。これにより、プリントサーバ１２は、ページレイアウトに基づいた印刷処理を行う。なお、クライアントＰＣ１６には、プリンタドライバが設けられており、このプリンタドライバを用いて、各種の印刷機能の設定が可能となっている。
【００３２】
クライアントＰＣ１６から入力されるページレイアウトは、ＣＭＹＫ形式であっても良く、また、ＲＢＧ形式であっても良く、グレースケール画像であっても良く、さらに、これらが混在するものであっても良い。また、コンポジット出力形式でも良く、分版形式であっても良く、分版形式の時には、処理前に合成あるいは、処理後にカラー画像に合成を行えば良い。
【００３３】
印刷機能設定部２６では、印刷ジョブの描画命令上での印刷機能の設定を読出して、画像処理及び印刷処理を行うときの印刷機能を設定する。なお、この印刷機能の設定は、印刷ジョブ上の設定に限らず、例えば、プリントサーバ１２が印刷ジョブを作成したアプリケーション名を抽出し、この抽出結果に基づいて予め設定されて記憶している設定値を用いるものであっても良い。
【００３４】
プリントサーバ１２の画像処理部２４は、印刷機能の設定に基づいた所定の画像処理を実行すると共に、ページレイアウトをＣＭＹＫの各色に分版し、さらに、それぞれの色のラスタデータを生成するＲＩＰ処理等を行う。
【００３５】
プリントサーバ１２では、このラスタデータを、プリントコントローラ２０によって制御しながらプリンタ１４へ出力することにより、クライアントＰＣ１６から出力されたページレイアウトに応じた印刷物が得られるようにしている。
【００３６】
ところで、プリントサーバ１２には、警告対象画像抽出部２８、警告画像生成部３０及び処理設定部３２が設けられている。
【００３７】
警告対象画像抽出部２８は、ページレイアウト上の画像（オブジェクト）の中から予め警告対象画像として設定されている画像を抽出し、警告画像生成部３０は、警告対象画像抽出部２８が警告対象に設定されている画像を抽出すると、抽出した警告対象画像に応じた警告画像を生成する。また、処理設定部３２は、生成された警告画像に対する処理を設定する。
【００３８】
プリントサーバ１２では、警告対象画像抽出部２８で抽出される警告対象画像が予め設定されるようになっており、また、処理設定部３２で設定する警告画像に対する処理も予め設定されるようになっている。
【００３９】
このような設定は、プリントサーバ１２上で図示しないユーザーインターフェイス（ＵＩ）を用いて設定するものであっても良く、また、クライアントＰＣ１６で、図示しないプリンタドライバで所定のＵＩを用いて印刷ジョブごとに設定することもできるようなになっている。
【００４０】
なお、このような設定に用いるＵＩや設定方法は、任意の構成を適用でき、ここでは詳細な説明を省略する。
【００４１】
本実施の形態に適用しているプリントサーバ１２では、商用印刷機を用いて印刷処理を行うときのインキの総量が設定値以上となるオブジェクトに対するインキ総量警告、オーバープリントが指定されているオブジェクトに対するオーバープリント警告、ＲＧＢ画像のオブジェクトに対するＲＧＢ画像警告、設定値以下の細線に対するヘアライン警告、予め設定されているフォントリストと一致しないフォントに対するフォント警告があり、警告対象画像抽出部２８では、これらのオブジェクトの抽出が可能となっている。なお、これらの警告対象画像の抽出は、公知の方法を適用することができる。
【００４２】
また、プリントサーバ１２では、警告対象画像を抽出したときの処理として、警告内容を示す画像を形成可能となっており、警告画像生成部３０では、抽出された警告内容に応じた画像を生成するようにしている。
【００４３】
このときに、警告画像生成部３０で生成可能な警告画像は、警告内容を示す吹出し、警告内容の記述した画像とその画像を示す引出し線又は矢印の組み合わせた画像の生成が可能となっている。また、警告画像生成部３０では、警告対象画像のみのページを、警告画像として生成可能であり、また、この警告画像に、例えば引き出し線を用いて警告内容を明記する画像を、警告画像として生成可能となっている。
【００４４】
処理設定部３２では、これらの警告画像の何れかを、印刷機能の指定などに基づいて設定するようにしている。
【００４５】
ここで、図２〜図８を参照しながら、プリントサーバ１２での警告処理を説明する。
【００４６】
プリントサーバ１２では、クライアントＰＣ１６から送信された印刷ジョブを受信すると、所定のタイミングで印刷処理を実行する。なお、ここでは、印刷ジョブとして１ページ分のページレイアウトを用いて説明する。
【００４７】
図２には、印刷処理の概略を示しており、このフローチャートでは、最初のステップ１００で印刷機能の設定を行う。この後、ステップ１０２では、警告機能が指定されているか否かを確認する。
【００４８】
ここで、警告機能が指定されていなければ、ステップ１０２で否定判定してステップ１０４へ移行し、ページレイアウトに対する画像処理及びＲＩＰ処理を実行して、Ｃ、Ｍ、Ｙ、Ｋの各色のラスタデータを生成する。
【００４９】
この後、ステップ１０６へ移行し、ラスタデータをプリンタ１４へ出力することにより、印刷ジョブとして入力されたページレイアウトを印刷出力する。
【００５０】
一方、警告機能が指定されている時には、ステップ１０２で肯定判定してステップ１０８へ移行し、警告対象画像の抽出及び、警告画像の生成処理を行う。
【００５１】
図３には、このときの処理の概略を示している。このフローチャートでは、最初のステップ１２０で、ページレイアウトの画像データを読み込むと、ステップ１２２へ移行して、形成されるオブジェクトを抽出し、抽出したオブジェクトに対して画像解析を行う（ステップ１２４）。
【００５２】
この後、ステップ１２６では、解析したオブジェクトが警告対象であるか否かを確認し、警告対象でなければ、ステップ１２６で否定判定してステップ１２８へ移行し、全てのオブジェクトに対する処理が終了したか否かを確認する。このときに、未解析のオブジェクトがあるときには、ステップ１２８で否定判定し、ステップ１２２へ戻って、残りのオブジェクトに対する処理を行う。
【００５３】
ここで、警告対象画像となっているオブジェクトを抽出すると、ステップ１２６で肯定判定してステップ１３０へ移行する。このステップ１３０では、設定に基づいて警告画像を生成する。また、既に生成されている警告画像があれば、同一ページ上となるように画像合成を行う。
【００５４】
このとき、警告対象画像と別に警告画像を生成するようにしているときには、警告画像が警告対象画像と重ならないように配置する。
【００５５】
このようにして、全てのオブジェクトに対する処理を終了するとステップ１２８で肯定判定し、図２のフローチャートに戻る。
【００５６】
これにより、図２のフローチャートでは、ステップ１１０へ移行し、警告画像があるか否かを確認する。
【００５７】
ここで警告画像があるときには、ステップ１１０で肯定判定し、ステップ１１２へ移行し、警告方法がページレイアウトへの合成となっているか否かを確認し、合成されるように設定されていると、ステップ１１２で肯定判定してステップ１１４へ移行し、画像合成を行う。
【００５８】
これにより、警告画像が合成されたページレイアウトに対する画像処理及び印刷処理が実行される。
【００５９】
また、別ページで印刷するように設定されているときには、ステップ１１２で否定判定してステップ１１６へ移行し、警告画像のページを通過する。これにより、印刷が指示されたページレイアウトに加えて、警告画像のページが印刷出力される。
【００６０】
図４には、一例として、用紙４０に印刷出力されたページレイアウト４２を示している。このページレイアウト４２には、オーバープリント警告の対象となるオブジェクト４４、フォント警告の対象となるフォントを使用している文字列４６、ヘアライン警告の対象となる細線４８、インキ総量警告の対象となるオブジェクト５０及びＲＧＢ警告の対象となるオブジェクト５２が形成される。なお、ページレイアウト４２では、余白領域にトンボ５４が形成されている。
【００６１】
このようなページレイアウト４２に対して、吹出し方式の警告画像を形成するように設定されていると、図５（Ａ）に示す印刷出力４２Ａが得られる。
【００６２】
この印刷出力４２Ａでは、警告対象画像のそれぞれに対して、警告内容が記述された吹き出し４４Ａ、４６Ａ、４８Ａ、５０Ａ、５２Ａが生成されて合成されている。
【００６３】
なお、裁ち落としがないように用紙４０Ａに印刷された印刷出力４２Ｂ上では、用紙４０Ａ内に吹出し４４Ａ〜５２Ａが配置されるように画像合成を行うようにすればよい。
【００６４】
また、警告画像を用紙４０上の余白に形成するように設定されているときの印刷出力を、図６（Ａ）及び図６（Ｂ）に示している。図６（Ａ）の印刷出力４２Ｃ及び図６（Ｂ）の印刷出力４２Ｄでは、警告対象画像のそれぞれに対して、余白部分に警告内容が記述されたコメント文４４Ｂ、４６Ｂ、４８Ｂ、５０Ｂ、５２Ｂが形成されている。
【００６５】
また、図６（Ａ）に示す印刷出力４２Ｃでは、コメント文４４Ｂ〜４２Ｂのそれぞれと、警告対象画像を引き出し線で接続しており、これにより、警告対象画像と、警告内容が明確となるようにしている。
【００６６】
また、図６（Ｂ）に示す印刷出力４２Ｄでは、コメント文４４Ｂ〜４２Ｂのそれぞれと、警告対象画像を矢印で示しており、これにより、印刷出力４０Ｄ上の他のオブジェクトも明確になるようにできる。
【００６７】
プリントサーバ１２では、警告画像を、ページレイアウト４２と別に印刷出力することもできるようになっている。このとき、図７に示すように、ページレイアウト４２と別に、警告対象画像のみで形成した警告ページ５６を印刷出力することにより、警告対象画像を明確にすることができる。
【００６８】
また、図８に示すように、ページレイアウト４２と別に、警告内容を明示した警告ページ５８を印刷出力するようにしてもよく、これにより、警告対象画像として抽出された理由をより的確に判断することができる。なお、図８の警告ページ５８では、コメント文４４Ｂ〜５２Ｂと引き出し線を用いているが、吹出し４４Ａ〜５２Ａを用いるようにしても良い。
【００６９】
このように、警告対象画像と別に警告画像を生成することより、警告対象画像の見落としを確実に防止することができる。また、警告内容を含めることにより、該当オブジェクトが、なぜ、警告対象画像として抽出されたかも的確に判断できるので、適正な画像修正が可能となる。
【００７０】
なお、以上説明した本実施の形態では、本発明を限定するものではない。例えば、本実施の形態では、インキ総量警告、オーバープリント警告、ＲＧＢ画像警告、ヘアライン警告及びフォント警告を例に説明したが、これに限らず、各種の傾向に適用することができる。
【００７１】
ここで、表１に、適用可能な警告内容を例示している。
【００７２】
【表１】
2006262384.tif 000003
【００７３】
また、警告内容は、これに限らず、任意の項目を適用することができ、警告内容に応じた抽出方法を用いて、警告対象画像の抽出、警告内容の判定を行うようにすればよい。
【００７４】
また、本実施の形態では、印刷システム１０に設けたプリントサーバ１２を適用して説明したが、本発明はこれに限らず、任意の構成の画像処理装置に適用することができる。
【図面の簡単な説明】
【００７５】
【図１】本実施の形態に適用した印刷システムの概略構成図である。
【図２】印刷処理の概略を示す流れ図である。
【図３】警告対象画像の抽出処理の概略を示す流れ図である。
【図４】警告対象画像が形成されたページレイアウトの一例を示す概略図である。
【図５】（Ａ）及び（Ｂ）は吹出し方式の警告画像を形成した印刷出力の一例を示す概略図である。
【図６】（Ａ）及び（Ｂ）はコメント文によって警告画像を形成した印刷出力の一例を示す概略図である。
【図７】警告対象画像のみを用いた警告画像を別に印刷出力した例を示す概略図である。
【図８】警告対象画像とコメント文を用いた警告画像を別に印刷出力した例を示す概略図である。
【符号の説明】
【００７６】
１０    印刷システム
１２    プリントサーバ（画像処理装置）
１４    プリンタ
１６    クライアントＰＣ
２０    プリントコントローラ
２４    画像処理部
２８    警告対象画像抽出部
３０    警告画像形成部
３２    処理設定部
４４Ａ〜５２Ａ    吹出し（警告画像）
４４Ｂ〜５２Ｂ    コメント文（警告画像）
【図１】
2006262384.tif 000004
【図２】
2006262384.tif 000005
【図３】
2006262384.tif 000006
【図４】
2006262384.tif 000007
【図５】
2006262384.tif 000008
【図６】
2006262384.tif 000009
【図７】
2006262384.tif 000010
【図８】
2006262384.tif 000011